【手続補正書】
【提出日】平成18年6月16日(2006.6.16)
【手続補正１】
【補正対象書類名】明細書
【補正対象項目名】請求項８
【補正方法】変更
【補正の内容】
【請求項８】  液晶媒体の成分としての、請求項1〜7のいずれかに記載の式Iの化合物の使用。
【手続補正２】
【補正対象書類名】明細書
【補正対象項目名】請求項９
【補正方法】変更
【補正の内容】
【請求項９】  請求項1〜7のいずれかに記載の式Iの化合物を少なくとも1つ含有することを特徴とする、液晶成分を少なくとも2つ有する液晶媒体。
【手続補正３】
【補正対象書類名】明細書
【補正対象項目名】０００７
【補正方法】変更
【補正の内容】
【０００７】
即ち、本発明は、式I；
【化６】
2000026323.tif 000001
(式中、
R1は、H又は未置換か、CN又はCF3により単置換されているか、又はハロゲンにより少なくとも単置換されている炭素原子1個から12個を有するアルキル基であって、これらの基中、1又は2以上の隣接しないCH2基は、互いに独立して、それぞれE-CH=CH-、-O-、-S-、-CO-、
【化７】
2000026323.tif 000002
、-CO-O-、-O-CO-又は-O-CO-O-により置き換えられていてもよく、
R2は、未置換か、又はハロゲンにより少なくとも単置換されている炭素原子1個から10個を有するアルキル又はアルコキシ、未置換か、又は-CN、-CF3又は-Fにより少なくとも単置換されている炭素原子2個から10個を有するアルケニル又はアルケニルオキシであり、又は-F、-Cl、-CF3、-OCHF2、-OCF3、-OCHFCF3又は-OCF2CF3であり、
L1、L2、L3、L4、L5、L6は、それぞれ互いに独立して、H又はFであり、
Qは、-O-又は単結合であり、
Aは、式中、加えて、1又は2以上のCH2基は隣接しないで、-O-及び／又は-S-により置き換えられていてもよいトランス-1,4-シクロヘキシレン基であるか、又は式中、環がCN、Cl又はFにより置換されていてもよい1,4-シクロヘキシレンであり、
Zは、互いに独立して、-CO-O-、-O-CO-、-CH2O-、-O-、-O-CH2-、-CH2CH2-、E-CH=CH-、-C≡C-又は単結合であり、
nは、0、1、2、3又は4であり、
そして
mは、0、1又は2である。
ただし、式中
a)  mが0であり、同時にR2がアルキル又はアルコキシであるか、又は
b)  mが0であり、同時にL1、L2、L3、L4、L5及びL6がHであるか、又は
c)  L6がFであり、同時にL3がHであるか、又は
d)  L2及びL5がFであり、同時にL3及びL4がHである、のいずれかである
式Iの化合物は除外するものとする)
のトラン誘導体に関する。
【手続補正４】
【補正対象書類名】明細書
【補正対象項目名】００１２
【補正方法】変更
【補正の内容】
【００１２】
本明細書中、R1、R2、A、Z、L1、L2、L3、L4、L5、L6、Q、m及びnは、特に断りがない限り、上記定義のとおりである。
基Aが1度以上現れる場合には、それは同一の意味又は異なる意味を有することができる。同じことを基Zに適用する。
【手続補正５】
【補正対象書類名】明細書
【補正対象項目名】００４７
【補正方法】変更
【補正の内容】
【００４７】
ケトン類は、Clemmensenの方法(亜鉛、亜鉛アマルガム又はスズ及び塩酸を、好ましくは約80°と120°の間で水性アルコール性溶液又は水／トルエンの不均一相で、使用する)によるか、又はアルキル基及び／又は-CH2CH2-架橋を含む式Iの対応する化合物を得るために、Wolff-Kishnerの方法(100°及び200°の間の温度で、ジエチレングリコール又はトリエチレングリコールのような高沸点溶媒中、好ましくはKOH又はNaOHのようなアルカリの存在下、ヒドラジンを使用する)により還元することもできる。
さらに、ハイドライド複合体の使用による還元が可能である。例えばアリールスルホニルオキシ基は、LiAlH4を使用して還元的に分離することができ、特に0°から100°の間の温度で、好ましくはジエチルエーテル又はTHFのような不活性溶媒中で、メチル基に還元することができる。2重結合は、メタノール中、トリブチルスズハイドライドを使用して水素化することができる。
【手続補正６】
【補正対象書類名】明細書
【補正対象項目名】００４８
【補正方法】変更
【補正の内容】
【００４８】
新規な液晶媒体は、1又は2以上の新規な化合物に加えて、好ましくは2から40、特に4から30の成分をさらなる成分として含有する。これらの媒体は、1又は2以上の新規化合物以外に、非常に特に好ましくは7から25の成分を含有する。これらのさらなる成分は、好ましくはネマティック又はネマトゲン性(モノトロピック又はアイソトロピック)物質、特にアゾキシベンゼン類、ベンジリデンアニリン類、ビフェニル類、ターフェニル類、フェニル又はシクロヘキシルベンゾエート類、シクロヘキサンカルボン酸のフェニル又はシクロヘキシルエステル類、シクロヘキシル安息香酸のフェニル又はシクロヘキシルエステル類、シクロヘキシルシクロヘキサンカルボン酸のフェニル又はシクロヘキシルエステル類、安息香酸のシクロヘキシルフェニルエステル類、シクロヘキサンカルボン酸及びシクロヘキシルシクロヘキサンカルボン酸のシクロヘキシルフェニルエステル類、フェニルシクロヘキサン類、シクロヘキシルビフェニル類、フェニルシクロヘキシルシクロヘキサン類、シクロヘキシルシクロヘキサン類、シクロヘキシルシクロヘキシルシクロヘキセン類、1,4-ビス-シクロヘキシルベンゼン類、4,4'-ビス-シクロヘキシルビフェニル類、フェニル-又はシクロヘキシルピリミジン類、フェニル-又はシクロヘキシルピリジン類、フェニル-又はシクロヘキシルジオキサン類、フェニル-又はシクロヘキシル-1,3-ジチアン類、1,2-ジフェニルエタン類、1,2-ジシクロヘキシルエタン類、1-フェニル-2-シクロヘキシルエタン類、1-シクロヘキシル-2-(4-フェニルシクロヘキシル)-エタン類、1-シクロヘキシル-2-ビフェニルエタン類、1-フェニル-2-シクロヘキシルフェニルエタン類、任意にハロゲン化されているスチルベン類、ベンジルフェニルエーテル類、トラン類及び置換されている桂皮酸類の群からの物質から選択される。これらの化合物中の1,4-フェニレン基はフッ素化されていてもよい。
【手続補正７】
【補正対象書類名】明細書
【補正対象項目名】００５１
【補正方法】変更
【補正の内容】
【００５１】
式1、2、3、4及び5では、R'は互いに独立して、炭素原子8個までを有するアルキル、アルケニル、アルコキシ、アルコキシアルキル、アルケニルオキシ又はアルカノイルオキシである。R"は互いに独立して、炭素原子8個までを有するアルキル、アルケニル、アルコキシ、アルコキシアルキル、アルケニルオキシ又はアルカノイルオキシ、F、Cl、CN、NCS又は-(O)iCH3-(k+1)FKCll(iが0又は1であり、そしてk及びlが1、2又は3である)である。
【手続補正８】
【補正対象書類名】明細書
【補正対象項目名】００５４
【補正方法】変更
【補正の内容】
【００５４】
群Bとして知られる式1、2、3、4及び5の化合物のもう1つのより小さな付属式では、R"はF、Cl、NCS又は-(O)iCH3-(k+1)FKCll(iが0又は1であり、kが1、2又は3であり、そしてlが0、1、2又は3である)であり、R"がこの意味を有する化合物は、付属式1b、2b、3b、4b及び5bにより表される。特に好ましいものは、R"が-F、-Cl、-NCS、-CF3、-OCHF2又は-OCF3である付属式1b、2b、3b、4b及び5bの化合物である。
付属式1b、2b、3b、4b及び5bの化合物の化合物では、R'は付属式1a-5aの化合物で定義のとおりであり、そして好ましくはアルキル、アルケニル、アルコキシ又はアルコキシアルキルである。
式1、2、3、4及び5の化合物の化合物のさらなるより小さな付属群では、R"が-CNである、化合物は以下で群Cとして知られ、そしてこの付属群の化合物は付属式1c、2c、3c、4c及び5cにより対応して記載される。付属式1c、2c、3c、4c及び5cの化合物では、R'は付属式1a-5aの化合物で定義のとおりであり、そして好ましくはアルキル、アルコキシ又はアルケニルである。
【手続補正９】
【補正対象書類名】明細書
【補正対象項目名】００６６
【補正方法】変更
【補正の内容】
【００６６】
例6
4-ビニルシクロヘキサンカルボン酸5.0g、4-p-トリルエチニルフェノール6.7g、4-(ジメチルアミノ)ピリジン4.0g及びトルエン250mlを室温で混合し、トルエン50ml中のDCCを7.3g添加して、混合物をオーバーナイトで激しく混合すると、その間に生成した尿素が沈殿した。そしてシュウ酸1gを添加して、混合物を、過剰のDCCを分解するために、室温でさらに1時間撹拌した。慣用の仕上げ処理により、4-p-トリルエチニルフェニル4-ビニルシクロヘキサンカルボキシレートを無色結晶の形態で得た。
【手続補正１０】
【補正対象書類名】明細書
【補正対象項目名】００７７
【補正方法】変更
【補正の内容】
【００７７】
例83-102
【化３７】
2000026323.tif 000003